(57)【要約】      （修正有）【課題】無線で充電することができる携帯用超音波診断装置を提供する。【解決手段】携帯用超音波診断装置は、供給された電気エネルギーを無線エネルギーに変換して周囲に放出する放射部と、前記放射部と分離された超音波診断装置の本体と、前記本体に設けられて前記放射部から放射された無線エネルギーを電気エネルギーに変換する変換部と、前記変換部と連結され、前記変換部で変換された電気エネルギーで充電される充電池２３０とを備える。【選択図】図２
2013226424.tif 000002
【特許請求の範囲】
【請求項１】
無線で充電可能である携帯用超音波診断装置において、
供給された電気エネルギーを無線エネルギーに変換して周囲に放出する放射部と、
前記放射部と分離された超音波診断装置の本体と、
前記本体に設けられて前記放射部から放射された無線エネルギーを電気エネルギーに変換する変換部と、
前記変換部と連結され、前記変換部で変換された電気エネルギーで充電される充電池とを備え、
前記放射部は電磁波を一定周波数で放出し、
前記変換部は前記放出された電磁波に対応する周波数で共振による同調信号を生成する受信部と前記同調信号を平滑させて前記信号を直流電圧に変換して前記充電池に供給する整流器を備え、
前記充電池は前記整流器から供給された直流電圧により充電されることを特徴とする携帯用超音波診断装置。
【請求項２】
前記放射部は、前記本体が置かれる据置台に設けられることを特徴とする請求項１に記載の携帯用超音波診断装置。
【請求項３】
前記放射部は、前記電磁波を送信する送信アンテナを備えることを特徴とする請求項１に記載の携帯用超音波診断装置。
【請求項４】
前記受信部は、前記同調信号を生成する受信アンテナを備えることを特徴とする請求項１に記載の携帯用超音波診断装置。
【発明の詳細な説明】
【技術分野】
【０００１】
本発明は携帯用超音波診断装置に関するものであって、特に無線で充電することができる携帯用超音波診断装置に関するものである。
【背景技術】
【０００２】
一般に超音波診断装置は超音波プローブを通じて被検査体に超音波を送受信することによって得られるエコーデータを処理し、被検査体内の断層画像または血流画像などを示す装置である。超音波診断装置は超音波プローブ（以下、プローブと称する）を備え、プローブには超音波信号とイメージ情報を相互変換するトランスデューサが装着される。トランスデューサは多数の超音波振動子（Ｕｌｔｒａｓｏｎｉｃ  Ｅｌｅｍｅｎｔ）が備えられ、超音波振動子で被検査体に超音波を放射した後、その反射信号を用いて映像信号を生成する。特に身体内の異物の検出、病変（ｌｅｓｉｏｎ）程度の測定、腫瘍の観察及び胎児の観察などのように医学用に有用に用いられる。一方、３次元の映像を得るためにはトランスデューサが回動しながら超音波が放出され、そのエコーデータを読み出して３次元映像を得ることができる。
【０００３】
最近はノートブック形態の携帯用超音波診断装置が開発されている。通常携帯用超音波診断装置は据置台上に置かれて用いられ、必要な場合、据置台から分離されて移動できる。一方、携帯用超音波診断装置の特性上、充電池を充電して電源を供給する。超音波診断装置はシステムの電源だけでなく、プローブから超音波を放出して読み込むための電力が必要である。特に、３次元をイメージを得るためにトランスデューサを回動させなければならない場合にはこのようなトランスデューサ回動のための電力も必要であり、充電式充電池を用いる携帯用超音波診断装置の場合、充電池の使用時間が非常に短くなり得る問題がある。
【０００４】
また、施術中に充電池を充電しなければならない場合、充電のために施術を中断しなければならない問題がある。
【発明の概要】
【発明が解決しようとする課題】
【０００５】
本発明は、前述した従来技術の諸般の問題を解決するためのものであって、携帯用超音波診断装置の使用中に消耗する電力を無線で充電することができる携帯用超音波診断装置を提供することにその目的がある。
【課題を解決するための手段】
【０００６】
前記のような目的を達成するために、本発明は無線で充電可能な携帯用超音波診断装置を提供する。本発明による携帯用超音波診断装置は供給された電気エネルギーを無線エネルギーに変換して周囲に放出する放射部と、前記放射部と分離された超音波診断装置の本体と、前記本体に設けられて前記放射部から放射された無線エネルギーを電気エネルギーに変換する変換部と、前記変換部と連結され、前記変換部で変換された電気エネルギーで充電される充電池とを備える。前記放射部は、電磁波を一定周波数で放出し、前記変換部は、前記放出された電磁波に対応する周波数で共振による同調信号を生成する受信部と前記同調信号を平滑させ、前記信号を直流電圧に変換して前記充電池に供給する整流器を備え、前記充電池は、前記整流器から供給された直流電圧により充電される。
【０００７】
前記放射部は、前記本体が置かれる据置台に設けられる。
【０００８】
前記放射部は、前記電磁波を送信する送信アンテナを備える。
【０００９】
前記受信部は、前記同調信号を生成する受信アンテナを備える。
【発明の効果】
【００１０】
本発明によれば、別途のケーブルを用いないで携帯用超音波診断装置を据置台に置いておくか、近くに置くだけで充電池を充電することができる効果がある。
【００１１】
また、本発明によれば、携帯用超音波診断装置を用いて施術中にも充電地を充電することができ、携帯用超音波診断装置の作動時間が増え、充電のために施術を中断する必要のないさらなる効果がある。
【図面の簡単な説明】
【００１２】
【図１】本発明による携帯用超音波診断装置の第１実施例の構成を示したブロック図である。
【図２】図１の実施例を示した側面図である。
【図３】本発明による携帯用超音波診断装置の第２実施例の構成を示したブロック図である。
【図４】図３の実施例を示した斜視図である。
【発明を実施するための形態】
【００１３】
以下、図１〜図４を参照して本発明による無線充電が可能な携帯用超音波診断装置を詳細に説明する。
【００１４】
図１は本発明による携帯用超音波診断装置の第１実施例構成を示したブロック図であり、図２は図１の実施例を示した側面図である。図１及び図２に示したように、本実施例は誘導電気を用いた充電装置として、据置台１００に備えられた第１のコイル１１０と携帯用超音波診断装置の本体２００に備えられた第２のコイル２１０を備える。据置台１００には電気エネルギーを磁場に変換して放出するために第１のコイル１１０と、外部電源からケーブル１２１を通じて供給される交流電圧を所定の大きさで第１のコイル１１０に供給するインバータ１２０を備える。超音波診断装置の本体２００は第１のコイル１１０から供給された磁場を電気エネルギーに変換するために第１のコイル１１０に対向する位置に備えられた第２のコイル２１０と第２のコイル２１０で誘導された交流電圧を直流電圧に整流する整流器２２０を備える。整流器２２０は充電池２３０と連結され、充電池２３０は蓄電池の形態であるので、整流器２２０から供給される直流電気で充電される。
【００１５】
据置台１００には第１のコイル１１０の対応する位置が突出して充電カプラ１１１が形成され、超音波診断装置の本体２００の下部には第２のコイル２１０の対応する位置に充電カプラ１１１が挿入できる充電ポート２１１が備えられる。従って、据置台１００に超音波診断装置の本体２００を充電カプラ１１１が充電ポート２１１に挿入されるように置くと第１のコイル１１０と第２のコイル２１０が正確な位置に対向するように配置される。本実施例とは反対に本体２００には充電カプラが形成され、据置台１００に充電ポートを備えられることもできる。
【００１６】
前記のように構成された携帯用超音波診断装置の作用効果を説明すれば次の通りである。ケーブル１２１を通じて外部電源から交流電圧が供給されると、インバータ１２０を通じて第１のコイル１１０に交流電圧が供給される。第１のコイル１１０の電場変化に応じて第１のコイル１１０周囲に周期的に磁場の変化が発生する。従って、交流電気によるエネルギーが第１のコイル１１０を通じて磁場に変換されて放出され、第１のコイル１１０と隣接するように配置された第２のコイル２１０では磁場の変化に応じたエネルギーの供給を受けて交流の誘導電圧が発生する。第２のコイル２１０で発生した誘導電圧は整流器２２０を通じて整流され、直流電圧に変換されて充電池２３０に供給されるので蓄電池形態の充電池２３０が充電される。従って、据置台１００と携帯用超音波診断装置の本体２００との間にケーブルなしでも充電池２３０を充電することができる。また、充電カプラ１１１と充電ポート２１１とがあり、超音波診断装置の本体２００を据置台１００に据置させる時、第１のコイル１１０と第２のコイル２１０を隣接した位置に容易に配置することができる。
【００１７】
図３は本発明による携帯用超音波診断装置の第２実施例の構成を示したブロック図であり、図４は図３の実施例を示した斜視図である。図３及び図４に示された通り、本実施例は電気エネルギーを電磁波に変換してエネルギーを無線で供給するために、据置台１１００に固定されて電磁波を一定周波数で送信する電磁波送信部１１１０と、携帯用超音波診断装置の本体１２００に備えられてエネルギーの供給を受けて電気エネルギーに変換するために、電磁波送信部１１１０から放出された電磁波の周波数に対応して共鳴現象により周波数同調が行われる電磁波受信部１２１０及び電磁波受信部と連結されて同調信号を平滑させ直流電圧に変化させる整流器１２２０と、超音波診断装置の電源を供給する充電池１２３０を備える。整流器１２２０は充電池１２３０と連結されて平滑な直流電圧が充電池１２３０に充電される。前記電磁波送信部１１１０はＲＦ送信アンテナを備えることができ、電磁波受信部１２１０はＲＦ受信アンテナを備えることができる。
【００１８】
従って、携帯用超音波診断装置１２００を据置台１１００に置くか、或いは据置台１１００に隣接した場所に置く場合、据置台１１００の電磁波送信部１１１０から送信された電磁波を無線で電気に変換して充電池を充電することができ、超音波診断装置の使用中に充電池１２３０を充電するために施術を中断する必要がない。
【００１９】
以上で説明した本発明は、前述した実施例及び添付された図面によって限定されるものではなく、本発明の技術的思想を逸脱しない範囲内で様々な置換、変形及び変更が可能であるということは本発明の属する分野で通常の知識を有する者において明白である。
【符号の説明】
【００２０】
１００、１１００：据置台
１１０：第１のコイル
１１１：充電カプラ
１２０：インバータ
１２１：ケーブル
２００、１２００：超音波診断装置の本体
２１０：第２のコイル
２１１：充電ポート
２２０、１２２０：整流器
２３０、１２３０：充電池
１１１０：電磁波送信部
１２１０：電磁波受信部
【図１】
2013226424.tif 000003
【図２】
2013226424.tif 000004
【図３】
2013226424.tif 000005
【図４】
2013226424.tif 000006